(57)【要約】  モバイルコンピュータ支持装置（１０）は、スタンド（１２）と、少なくとも１つのスクリーンを視野から遮蔽しないようにモバイル計算デバイス（１６）を受けるための、スタンド（１２）にあるドック（１４）と、ドッキングされた際にモバイル計算デバイスを充電するための充電素子（７０）と、モバイル計算デバイスをドック（１４）にロックするためのロック機構（１８）と、を備える。  ロック機構（１８）は、スクリーン（４８）から離間するようにモバイル計算デバイス（１６）のハウジング（４２）に位置することができる保持素子（４０）と、ドック（１４）に位置または隣接し、使用際にモバイル計算デバイス（１６）がドック（１４）に保持されるように離脱可能に保持素子（４０）に係合する独立した係合素子（４４）とを備える。
2015535366.tif 000002
【特許請求の範囲】
【請求項１】
スタンド（１２; １１２; ２１２）と、少なくとも１つのスクリーン（４８）を視野から遮蔽しないようにモバイル計算デバイス（１６）を受けるための、前記スタンド（１２; １１２; ２１２）にあるドック（１４）と、ドッキングされた際に前記モバイル計算デバイスを充電するための充電素子（７０）と、前記モバイル計算デバイス（１６）を前記ドック（１４）にロックするためのロック機構（１８）と、を備え、
前記ロック機構（１８）は、前記スクリーン（４８）から離れるように前記モバイル計算デバイス（１６）のハウジング（４２）に位置する保持素子（４０）と、前記ドック（１４）に位置または隣接し、使用する際に前記モバイル計算デバイス（１６）が前記ドック（１４）に保持されるように離脱可能に前記保持素子（４０）に係合する独立した係合素子（４４）とを備えるモバイルコンピュータ支持装置（１０; １１０; ２１０）。
【請求項２】
前記ロック機構（１８）が磁気的であり、前記保持素子（４０）が前記係合素子（４４）と磁気的に係合可能である請求項１に記載のモバイルコンピュータ支持装置（１０; １１０; ２１０）。
【請求項３】
前記係合素子（４４）が前記ドック（１４）に位置または隣接する電磁プレートである請求項２に記載のモバイルコンピュータ支持装置（１０; １１０; ２１０）。
【請求項４】
前記保持素子（４０）が、前記モバイル計算デバイス（１６）を内部に位置させることができる、少なくとも部分的に鉄製のケーシングである請求項２または３に記載のモバイルコンピュータ支持装置（１０; １１０; ２１０）。
【請求項５】
前記ロック機構（１８）が、電子離脱機構（５４）を備える請求項１〜４のいずれか一項に記載のモバイルコンピュータ支持装置（１０; １１０; ２１０）。
【請求項６】
前記電子離脱機構（５４）が、前記電子離脱機構（５４）を操作するためのキーを受信するユーザインタフェース（５６）を備える請求項５に記載のモバイルコンピュータ支持装置（１０; １１０; ２１０）。
【請求項７】
前記キーが、スマートカードを備え、前記ユーザインタフェース（５４）が前記スマートカードを受けて読み出すための受け部（６０）とリーダ（５８）を備える請求項６に記載のモバイルコンピュータ支持装置（１０; １１０; ２１０）。
【請求項８】
前記キーが個人識別コードを更に備え、前記ユーザインタフェース（５４）が前記個人識別番号を入力するためのデータ入力デバイス（６４）を備える請求項７に記載のモバイルコンピュータ支持装置（１０; １１０; ２１０）。
【請求項９】
前記ユーザインタフェース（５４）が前記スタンド（１２）に設けられる請求項６〜８のいずれか一項に記載のモバイルコンピュータ支持装置（１０; １１０; ２１０）。
【請求項１０】
前記ドック（１４）に取り付けられたモバイル計算デバイス（１６）における未許可の取り外し試みを検知するためのタンパーセンサ（７２）を更に備える請求項１〜９のいずれか一項に記載のモバイルコンピュータ支持装置（１０; １１０; ２１０）。
【請求項１１】
前記タンパーセンサ（７２）がプレスセンサである請求項１０に記載のモバイルコンピュータ支持装置（１０; １１０; ２１０）。
【請求項１２】
前記タンパーセンサ（７２）が前記ロック機構（１８）に設けられている請求項１０または１１に記載のモバイルコンピュータ支持装置（１０; １１０; ２１０）。
【請求項１３】
前記タンパーセンサ（７２）の出力により作動可能なアラーム（７４）を更に備える請求項１０〜１２のいずれか一項に記載のモバイルコンピュータ支持装置（１０; １１０; ２１０）。
【請求項１４】
前記アラーム（７４）が、前記スタンド（１２; １１２; ２１２）の少なくとも２つの対向する縁部に沿って複数の発光素子（８０）のストリップを備える視覚出力デバイス（７８）を備える請求項１３に記載のモバイルコンピュータ支持装置（１０; １１０; ２１０）。
【請求項１５】
前記スタンド（１２）が、細長い、直立した、フロアに取り付け可能なハウジングである請求項１〜１４のいずれか一項に記載のモバイルコンピュータ支持装置（１０）。
【請求項１６】
前記スタンド（１１２; ２２２）が、卓上に取り付け可能である請求項１〜１４のいずれか一項に記載のモバイルコンピュータ支持装置（１１０; ２１０）。
【請求項１７】
前記スタンド（１１２; ２１２）の支持アーム（１２２; ２２２）がベース（１２０；２２０）の回りに回転することができる請求項１６に記載のモバイルコンピュータ支持装置（１１０; ２１０）。
【請求項１８】
前記ドック（１４）が枢動可能に前記支持アーム（１２２; ２１２）と係合することを特徴とする請求項１７に記載のモバイルコンピュータ支持装置（１１０; ２１０）。
【請求項１９】
ドッキングされたモバイル計算デバイス（１６）が前記ドック（１４）に対して回転することを可能にする、前記ドック（１４）に関連付けられた回転可能な取り付け素子（４５）を更に備える請求項１７または１８に記載のモバイルコンピュータ支持装置（１１０; ２１０）。
【請求項２０】
前記回転可能な取り付け素子（４５）が前記ロック機構（１８）の一部を形成する請求項１９に記載のモバイルコンピュータ支持装置（１１０; ２１０）。
【請求項２１】
前記回転可能な取り付け素子（４５）が前記独立した係合素子（４４）を備える請求項２０に記載のモバイルコンピュータ支持装置（１１０; ２１０）。
【請求項２２】
２つの前記支持アーム（２１２）が回転可能に前記ベース（２２０）に取り付けられる請求項１７〜２１のいずれか一項に記載のモバイルコンピュータ支持装置（２１０）。
【請求項２３】
前記スタンド（１２; １１２; ２１２）内の無線アクセスポイントデバイス（１０４）を更に備える請求項１〜２２のいずれか一項に記載のモバイルコンピュータ支持装置（１０; １１０; ２１０）。
【請求項２４】
前記ハウジング内のサーバ素子（１０６）と電池バックアップデバイスを更に備え、前記無線アクセスポイントデバイス（１０４）が前記サーバ素子（１０６）と通信する請求項２３に記載のモバイルコンピュータ支持装置（１０; １１０; ２１０）。
【請求項２５】
ドッキングされたモバイル計算デバイス（１６）から前記スタンド（１２; １１２; ２１２）へのデータ転送を可能にするための、前記ドック（１４）にあるデータ転送コネクタを更に備える、請求項１〜２４のいずれか一項に記載のモバイルコンピュータ支持装置（１０; １１０; ２１０）。
【請求項２６】
前記ロック機構（１８）が、前記ドッキングされたモバイル計算デバイス（１６）のディスプレイ（４８）を介してアクセス可能なソフトウェアユーザインターフェース（５６）を備える電子離脱機構（５４）を含み、前記ソフトウェアユーザインターフェース（５６）が、前記電子離脱機構（５４）を操作するためのキーを受信することに適合される、モバイル計算デバイス（１６）と組み合わされた上記の請求項のいずれか一項に記載のモバイルコンピュータ支持装置（１０; １１０; ２１０）。
【請求項２７】
前記ドッキングされたモバイル計算デバイス（１６）が、回転可能な取り付け素子（４５）を介して前記ドック（１４）に対して回転可能である請求項２６に記載の組み合わせ。
【請求項２８】
前記モバイル計算デバイス（１６）が前記スタンド（１２; １１２; ２１２）から取り外される際に、前記モバイル計算デバイス（１６）が繋がない、モバイル計算デバイス（１６）と組み合わせた上記の請求項のいずれか一項に記載のモバイルコンピュータ支持装置（１０; １１０; ２１０）。
【発明の詳細な説明】
【技術分野】
【０００１】
本発明は、モバイルコンピュータ（mobile-computer）支持装置に関し、特に、必ずしも必要ではないが、タブレットコンピュータ(tablet-computer)支持装置に関する。
【背景技術】
【０００２】
計算デバイスのためのスタンドが知られており、これらは、多くの場合、顧客が買う前にこのデバイスを見て試すことができる店で見られている。店からの未許可の取り外しや盗みの可能性を防止または制限するために、計算デバイスは、セキュリティケーブルによってスタンドに繋がれている。この繋ぎは、計算デバイスが自在に位置決め可能且つ移動可能にスタンドにあり、制限される前に特定の距離まで取り外されることを可能にする。
【０００３】
この既知の配置は、モバイル計算デバイスが販売支援としてまたは他の製品に関連する情報提供の目的のために利用される状況には不向きである。例えば、車のショールームでは、ショールーム車近傍のスタンドにモバイル計算デバイスをつなぐことが受け入れられないのは、販売員にとってデバイスの便利性を大変に制限するからである。販売員は、車内に見込み客と共に座りながら、例えば異なる内装色スキームとレイアウトを表示するデバイスを使用することができるというオプションが一般的に必要である。
【０００４】
モバイル計算デバイスが販売員によって使用されない場合、可視の延びるセキュリティケーブルを付けずに、モバイル計算デバイスを安全に適所にロックすることは、有益であり、それによって、見込み客が販売員から独立して計算デバイスを利用することを可能にする。
【発明の概要】
【発明が解決しようとする課題】
【０００５】
本発明は、これらの問題に対する手段を提供することを目的とする。
【０００６】
本発明の第１の実施形態によれば、スタンドと、少なくとも１つのスクリーンを視野から遮蔽しないようにモバイル計算デバイスを受けるための、スタンドにあるドックと、ドッキングされた際にモバイル計算デバイスを充電するための充電素子と、モバイル計算デバイスをドックにロックするためのロック機構と、を備え、ロック機構が、スクリーンから離間するようにモバイル計算デバイスのハウジングに位置することができる保持素子と、ドックに位置または隣接し、使用際にモバイル計算デバイスがドックに保持されるように離脱可能に保持素子に係合する独立した係合素子とを備えるモバイルコンピュータ支持装置が提供される。
【課題を解決するための手段】
【０００７】
本発明の第１の実施形態の好ましいおよび/または選択自由な特徴は、請求項１〜２５に記載されている。
【０００８】
本発明の第２の実施態様によれば、ロック機構が、ドッキングされたモバイル計算デバイスのディスプレイを介してアクセス可能なソフトウェアユーザインターフェースを備える電子離脱機構を備え、ソフトウェアユーザインターフェースが、電子離脱機構を操作するためのキーを受信することに適合される、モバイル計算デバイスと組み合わせた本発明の第１の実施形態によるモバイルコンピュータ支持装置が提供される。
好ましくは、ドッキングされたモバイル計算デバイスは、回転可能な取り付け素子を介してドックに対して回転可能である。
【０００９】
本発明の第３の実施態様によれば、モバイル計算デバイスがスタンドから取り外される際に、モバイル計算デバイスが繋がない、モバイル計算デバイスと組み合わせた本発明の第１の実施形態によるモバイルコンピュータ支持装置が提供される。
【図面の簡単な説明】
【００１０】
【図１】図１は、本発明に係るモバイルコンピュータ支持装置の第１の実施形態の斜視図であり、これにドッキングされるドッキング可能なモバイル計算デバイスを示す。
【図２】図２は、図１と同様する透視図であり、明瞭にするために、この装置から離れたドッキング可能なモバイル計算デバイスを示す。
【図３】図３は、図１に示すモバイルコンピュータ支持装置の縦断面図である。
【図４】図４は、モバイルコンピュータ支持装置の分解図である。
【図５】図５は、モバイルコンピュータ支持装置のブロック図である。
【図６】図６は、本発明に係るモバイルコンピュータ支持装置の第２の実施形態の正面斜視図である。
【図７】図７は、図５に示すモバイルコンピュータ支持装置の裏面斜視図である。
【図８】図８は、本発明に係るモバイルコンピュータ支持装置の第３の実施形態の正面斜視図である。
【図９】図９は、図８に示すモバイルコンピュータの支持装置の側面斜視図である。
【図１０】図１０は、図８に示すモバイルコンピュータ支持装置の部分分解図である。
【図１１】図１１は、本発明に係るモバイルコンピュータ支持装置の第４の実施形態の正面斜視図である。
【発明を実施するための形態】
【００１１】
ここで、添付の図面を参照しながら、ほんの一例として、本発明を一層詳細に説明する。
まず、図１ないし図５を参照すると、スタンド１２と、モバイル計算デバイス１６用のスタンド１２にあるドック１４と、モバイル計算デバイス１６をドック１４に繋がないようにロックするためのロック機構１８を備えるモバイルコンピュータ支持装置１０の第１の実施形態が示されている。
【００１２】
この実施形態に係るスタンド１２は、直立で細長い台座型の、フロアに取り付け可能な飾り棚２０であり、前壁２２と、後壁２４と、前壁２２と後壁２４との間に連続的に延びる２つの対向する側壁２６と、ベース２８と、トップ３０とを備える。好ましくは、壁２２、２４、２６はこれらの長手方向及び横方向のサイズの少なくとも大部分に沿って、均一に連続又は実質的に連続であり、壁２２、２４、２６はベース２８及びトップ３０と共に内部チャンバ３２を限定しており、理由が以下明らかにされる。
【００１３】
スタンド１２の壁２２、２４、２６は、好ましくは、平面であり、またはこれらの長手方向及び横方向のサイズの少なくとも大部分にわたって実質的に平面であり、かつ、側壁２６、前壁２２及び/又は後壁２４は、有利に、音出力のための１つ以上の小さくて目立たないスピーカー開口３４を備えてもよい。
【００１４】
トップ３０の上部外面３６は、上方へ前壁２２から後壁２４に向かって斜面になるように傾斜しており、ドック１４は、傾斜した上面３６によって限定される。また、好ましくは、上面３６の少なくとも大部分は、モバイル計算デバイス１６に適するドッキング面３８を提供するように平面である。
【００１５】
この実施形態では、例として、ロック機構１８は、好ましくは、電磁ロック機構であり、モバイル計算デバイス１６のハウジング４２に位置できる又は隣接する保持素子４０と、保持素子４０を離脱可能に磁気的に係合するためのドック１４に設けられる離間可能な係合素子４４とを備える。
【００１６】
有益に、モバイル計算デバイス１６は、モバイル計算デバイス１６のオリジナルのハウジング４２が着座可能である、独立した補助ハウジング４６を備える。補助ハウジング４６は、モバイル計算デバイス１６のディスプレイ４８がぼんやりしないようにオリジナルのハウジング４２の周縁部にわたって位置する。補助ハウジング４６は、均一連続的な壁および表面を有してもよく、または例えば、ウェブの形態で開口されてもよい。
【００１７】
保持素子４０は、補助ハウジング４６の一部またはデバイス１６のオリジナルのハウジングの一部として一体的に形成され、好ましくは、磁気的に係合素子４４に係合できる１つ以上の鉄プレートまたは鉄素子である。
【００１８】
好ましくは、鉄素子であるが、保持部材４０自体は電磁式であってもよく、モバイル計算デバイス１６がドッキングされると、スタンド１２によって制御可能である。
【００１９】
係合素子４４は、好ましくは、ドック１４にある又は隣接する１つ以上の電磁プレートである。この場合、電磁プレートは、上面３６の開口に取り付けられており、スタンド１２内のコントローラ５２の制御回路５０を介して制御される。
【００２０】
円形であるが、係合素子４４は、任意の適切な形状であってもよく、好ましくは、ドッキングされた際に、デバイスの周縁部と重ならないようにモバイル計算デバイス１６よりもサイズを小さくする。
【００２１】
他の配置では、係合素子は、トップ３０の下面に、あるいはトップ３０の下面からわずかに離間されて設けられてもよい。これは、アンドッキングされたモバイル計算デバイス１６と共に一層きれいなまたはあまり散乱しない美観を提供する。
【００２２】
ロック機構１８は、この場合、スタンド１２の外側にユーザインタフェース５６を備える電子離脱機構５４を備える。ユーザインタフェース５６は、キーを受信することに適合し、例えば、スマートカードリーダ５８の一部として形成され、またはiButton RTMであってもよい。前者の場合、スマートカードリーダ５８は、好ましくは、スマートカードを受けるための受け部６０（例えば、リーダハウジング６２にあるスロット）と、スマートカードに内蔵されたマイクロチップが保持するデータに関連付けられた、固有及び/または個人の数字列または英数字列を入力するためのキーボード６４または他のデータ入力デバイスを備える。
【００２３】
それは、ドック１４近傍にスマートカードリーダ５８を設けることは便利であり、本実施形態では、スマートカードリーダ５８は、前壁２２とトップ３０との間に、スタンド１２の上部前縁に形成された凹部６６に設けられている。
【００２４】
また、スマートカードリーダ５８をそれ自体で取り外し可能且つドッキング可能なデバイスとして設けることが便利であり、それによって、ユーザは、より慎重に彼らの機密情報を入力し、そして、電子離脱機構５４を操作することができる。このために、スマートカードリーダ５８は、さらに、繋がれることなく、無線であってもよく、このため、スタンド１２内の適切な受け部を有する適切な発信機を備え、適切に安全な無線データ転送プロトコルを利用する。
【００２５】
スマートカードと相手側のリーダが電子離脱機構を操作するためのキーとユーザインタフェースとされることを提案したが、任意の適切なユーザインタフェースを利用することができる。例えば、ドッキングされたモバイル計算デバイスのディスプレイ４８を介して、アクセス可能なソフトウェアのユーザインタフェースを追加的または代わりに利用することができる。ソフトウェアのユーザインタフェースは、モバイル計算デバイス１６のディスプレイ、好ましくは、タッチ又はプレスセンシティブディスプレイを介してユーザが入力したキーを受信することに適合する。
【００２６】
また、電子離脱機構５４は、より伝統的なメカニカルキーで操作されることができる。これは、例えば優先オプションであってもよい。メカニカルキーは、スタンド１２にあるロックに挿入可能であり、そして、電子離脱機構５４を操作し、それによって、ドッキングされたモバイル計算デバイス１６がアンドッキングされることを可能にする。
【００２７】
前記のiButton RTMキーの場合、キーは、マイクロチップが格納された弾性金属ハウジングとして設けられている。金属ハウジングは、蓋と呼ばれたデータコンタクト及びベースと呼ばれた接地コンタクトを提供する。これらのコンタクトの各々は、内部チップに接続されている。蓋は罐の上部であり、ベースは罐の側部と底部を形成し、キーフォブなどのボタンをほとんど任意の物品またはデバイスに付けることを簡単にするフランジを備える。これらの２つのコンタクトは、ポリプロピレン製のグロメットによって離間されている。iButton RTMハウジングを２つのコンタクトに接触させることにより、１-Wire RTMプロトコルに基づく通信は可能になる。このように、電子離脱機構５４は、操作することができ、それぞれのiButton RTMに関連付けられた特定のユーザがデバイス１６を離脱させることを可能にする。
【００２８】
データ転送コネクタ６８もドック１４に設けられ、ドッキング際にモバイル計算デバイス１６がスタンド１２と通信することを可能にする。便利のために、データ転送用コネクタ６８は、POGOコネクタであってもよいが、任意の他の適切なコネクタを用いることができる。また、データ転送用コネクタ６８は、ハードウェアデバイスであるが、追加的または代わりにソフトウェアのデバイスとして実現されてもよく、それによって、データ転送がドッキングされたモバイル計算デバイス１６とスタンド１２との間に無線で達成可能である。
【００２９】
好ましくは、充電素子７０がデータ転送用コネクタ６８に追加的に設けられている。また、充電素子７０は、物理的又は機械的な接続であってもよく、誘導充電システムを使用することにより無線であってもよい。いずれの場合には、充電素子７０は、スタンド１２に設けられ、ドッキングされるモバイル計算デバイス１６とインタフェースすることに適合され、それによって、ドッキングされる際にモバイル計算デバイス１６の載置された電池が充電される。
【００３０】
好ましくは、装置１０は、ドッキングされたモバイル計算デバイス１６を取り外す未許可の試みを検知するためのタンパーセンサ７２をさらに備える。例えば、タンパーセンサ７２は、モバイル計算デバイス１６及び/又はスタンド１２に与えられる一定の力をモニタリングするためのロードセルまたは歪みゲージを組み入れるプレスセンサである。
タンパーセンサ７２が、ロック機構１８の係合素子４４に設けられ、または、ロック機構１８の係合素子４４の一部として設けられることが便利である。
【００３１】
タンパーセンサ７２に加えて、装置１０は、好ましくは、タンパーセンサ７２の出力により警報回路７６を介して作動可能なアラーム７４が設けられている。本実施形態では、アラーム７４は、視覚出力デバイス７８を備え、この視覚出力デバイス７８は、スタンド１２の少なくとも２つの対向する縁部に沿って複数の発光素子８０のストリップを備える。発光素子８０は、顧客の注目を引き付けるために、いずれにしても、スタンド１２への便利な追加である。しかし、可聴警報出力に加えて、点滅および/または異なる色の発光素子８０で形成された視覚警報出力が有益である。
【００３２】
スタンドコントローラ５２は、電源ユニット８２と共に、スタンド１２の内部チャンバ３２内に設けられている。スタンドコントローラ５２は、警報回路７６と関連するタンパーセンサ７２に加えてスタンド照明用の発光素子８０を制御する。電子離脱機構５４もドッキングされたモバイル計算デバイス１６へのデータ転送およびこれからのデータ転送と共にスタンドコントローラ５２によって制御される。スタンドコントローラ５２は、さらに、ドッキングされたモバイル計算デバイス１６の過充電状態に達しないように、充電素子７０を調整する。
【００３３】
さらに、様々な入力および出力ポート８４は、スタンド１２に設けられてもよく、これらはすべてスタンドコントローラ５２を介して制御される。一例として、１つ以上のUSBポート８６、HDMIポート８８、オーディオポート９０およびLANポート９２が備わってもよい。モバイル計算デバイス１６は、さらに、１つ以上の対応するポート９４を備え、適切なデータ転送は、モバイル計算デバイス１６とスタンド１２との間にデータ転送コネクタ６８を介して発生することができる。よって、これは、例えば、ビデオがドッキングされたモバイル計算デバイス１６によって再生され、スタンド１２に出力され、そして、それぞれのポート８４を介して大きい周辺のディスプレイとアンプによって駆動されるスピーカーへ出力されることを可能にする。あるいは、ビデオがドッキングされたモバイル計算デバイス１６のディスプレイ４８によって表示されている際に、一層高品質のオーディオが内部チャンバ３２内に位置してアンプによって駆動されるスピーカー９６によって出力されることができる。
【００３４】
スタンドコントローラ５２は、有利に、スタンド１２内のマルチマスタシリアルシングルエンドコンピュータバス（multi-master serial single-ended computer bus）９８を利用してもよく、それによって、充電素子７０と、上記の各種ポート８４と、タンパーセンサ７２、警報回路７６と、ロック機構１８と、配電盤１００との間のデータ通信を提供する。この場合、マルチマスタシリアルシングルエンドコンピュータバス(multi-master serial single-ended computer bus)９８は、好ましくは、有益にI２Cに由来し、主回路とサブシステムとの間の低帯域幅のデータ通信を可能にするシステム管理バスを利用する。
【００３５】
上述のようなシステム管理バスを使用することにより、充電素子７０の充電判定回路１０２は、上記のように、ドッキングされたモバイル計算デバイス１６の電池の充電レベルをモニタリングすることができる。他のモニタリングオプションは、システム管理バスを介して得られ、例えば、いつ計算デバイス１６の電池を交換する必要があるか、内部温度が高すぎるかどうかを示す。
【００３６】
装置１０は、さらに、無線インターネットおよび/またはサーバアクセスを提供することができる。このために、装置１０は、内部チャンバ３２内の無線アクセスポイントまたはWAPデバイス１０４を備えることができる。WAPデバイス１０４は、電源ユニット８２によって給電され、好ましくは、スタンドコントローラ５２に関連付けられた配電盤１００を介して供給される。
【００３７】
この場合、スタンド１２は、好ましくは、設置場所の有線インターネット接続へイーサネットケーブルを接続するためのネットワークケーブルソケット、例えば上記のLANポート９２を有している。代わりに、WAP装置１０４は、スタンド１２及び関連するモバイル計算デバイス１６を設置場所の別の無線ルータ又はモデムに無線で接続する無線ルータ又はスイッチとして機能してもよい。
【００３８】
追加的または代わりに、サーバコンピュータデバイス１０６は、好ましくは、内部チャンバ３２内に地元で備われてもよい。これは、ドッキングとアンドッキングされた際に、スタンド１２が直接クライアント向きのモバイル計算デバイス１６にサービスを提供することを可能にする。例えば、特定のソフトウェアやファイルは、モバイル計算デバイスによる直接無線アクセスためにサーバコンピュータデバイス１０６に事前にロードされてもよい。この場合、設置場所にある既存のリモートサーバデバイスの事前構造が必要とされないため、例えば、限定されたインターネットアクセスが形成されることができる。これは、教育、医療、または小売りの形成、例えば、特定の地元および承認の内容のみを得ることを可能にしながらインターネット内容を制限または防止する必要がある場合に、有益である。
【００３９】
WAPデバイス１０４とサーバコンピュータデバイス１０６に加えて、完全なスタンドアロン計算エコシステムが設けられることができるために、スタンド１２内の無停電電源またはUPSの電池バックアップが設けられることが有益である。
【００４０】
さらに、同一の装置１０の間のデータ転送のための相互接続を可能にすることが有益である。この場合、デイジーチェーン接続は、一般的に、イーサネットケーブルなどの物理的なケーブルを介して達成することができる。このため、第１スタンド１２は、サーバオペレーションの点でハブとして機能してもよく、それによって、同一の第２スタンドからで受信され、要求されたデータが処理のために第１スタンド１２のサーバコンピュータデバイス１０６に転送される。同様の第３スタンドは、第１スタンド１２への経るデータ転送のために、第２スタンド１２にデイジーチェーンされることができる。
【００４１】
同一のスタンド１２がモジュール式に機械的に相互接続可能であり、スタンド１２の列を形成する場合、このデータのデイジーチェーン接続が発生できることが想定される。しかしながら、サーバハブとして機能する装置１０がこのように無線で行うことができるため、一緒にハードワイヤードであることの代わりに、または、一緒にハードワイヤードであることに加えて、別の前記装置１０はサーバアクセスのために無線で相互接続することができる。
図６および図７は、モバイルコンピュータ支持装置１０の第２の実施形態を示す。同一符号が同一又は同様の部分を指し、より詳細な説明は省略する。
【００４２】
装置１０は、第１の実施形態と同様であり、唯一の実質的な差異はスタンド１２の形状および構成である。第２の実施形態のスタンド１２は、細長くて、実質的に円筒形の直立した台座部と、モバイル計算デバイス１６のためのドック１４を支持する片持ちアーム部を設ける。モバイル計算デバイス１６をドック１４に繋がないようにロックするためのロック機構１８は、上記のように説明されている。
図８〜図１０は、モバイルコンピュータ支持装置１１０の第３の実施形態を示す。同一符号が同一又は同様の部分を指し、より詳細な説明は省略する。
【００４３】
この装置１１０は、第１及び第２の実施形態と同様であり、主な差異はスタンド１１２の形状および構造の更なる変更である。第３の実施形態のスタンド１１２は、第１及び第２の実施の形態で説明したスタンド１２と比べて、減少された縦方向サイズを有しており、地盤面ではなく、卓上に取り付けられるように主に設計されている。しかしながら、フロア取り付け用の変更されたスタンドは、スタンド１１２の特徴と機能を利用して形成することができる。
【００４４】
同様に、第１および/または第２の実施形態の１つ以上の特徴と機能を組み入れた、隆起する取付のためのスタンドは、形成されることができる。
同様に、単独で１つ以上の特徴を利用し、または全ての提案された実施形態と組み合わせる複合スタンドは、形成されることができる。
【００４５】
スタンド１１２は、わずかにドーム状、隆起状または段差状の台座１２０と、モバイル計算デバイス１６用のドック１４を支持する片持ち支持アーム１２２が設けられる。好ましくは、モバイル計算デバイス１６をドック１４に繋がないようにロックするためのロック機構１８は上記のとおりである。
【００４６】
好ましくは、支持アーム１２２は、回転可能にベース１２０に取り付けられており、これは有益にベース１２０の中心にあって又は実質的にあってもよい。
【００４７】
ベース１２０は、重み付けされてもよく、いずれにしても、好ましくは、取付面に固定可能である。便利に、固定装置および/または固定プレートは、ベース１２２から支持アーム１２０を離す際に現れたアクセス開口を介してアクセスされることができる。支持表面にベース１２０を接続するための他の代わりまたは追加のオプションは、接着剤を含んでもよい。
【００４８】
代わりに、支持アーム１２０の直立本体１２６に横方向に延びる支持アーム１２２のフット１２４は、アーム１２２とベース１２０とを共に支持表面に固定することを可能にする固定機構を備えてもよい。例えば、これは、ねじ切り固定具と、フット１２４とベース１２０を介して好ましくは中心に延びる受容ポートであってもよい。
【００４９】
この実施形態では、ドック１４は、枢動可能にアーム１２２の先端部と係合されている。枢動可能な係合は、好ましくは、少なくともベース１２０にあるアーム１２２の回転軸に垂直した水平軸の回りに蝶着される。
【００５０】
図９に示されるドック１４の枢動可能な係合は、モバイル計算デバイス１６、具体的に、独立した補助ハウジング４６が支持されたモバイル計算デバイス１６のスクリーンにユーザの選択可能な傾斜またはピッチを与えることを可能にすると共に、同時選択可能な回転を可能にする点で特に有益である。
【００５１】
ドック１４とアーム１２２との間のヒンジ１２８は、好ましくは、与えられた傾斜またはピッチでモバイル計算デバイス１６を保持するために、十分に高い摩擦値である。追加的または代わりに、ヒンジは、角度が異なる複数の傾斜位置に確実に係合することを可能にするためにインデックス機構を備えてもよい。
【００５２】
図１１を参照すると、モバイルコンピュータ支持装置２１０の第４の実施形態が示されている。装置２１０は、第３の実施形態と実質的に同様であるが、スタンド２２２は、好ましくは共通のフット２２４及び片持ち直立本体２２６を備える、背中を合わせた支持アーム２２２を備える。本体２２６は、第３の実施形態と同様に、好ましくはプレート状であり、わずかに弧状、捻れ状、折れ状、またはく字状の長手方向サイズを有する。しかしながら、他の形状、例えば、管状、円筒状、スワンネック状、および/または中空は想定されることができる。
【００５３】
フット２２４は、第３の実施形態と同様であることが好ましいので、一般的に、円形又は部分的に円形のプレートの形である。上述した第３実施形態のように、フット２２２は、ベース２２０に使用中の縦軸の回りに回転移動するように取り付けられている。
【００５４】
第３の実施形態と同様に、ドック１４は、各支持アーム２２２の先端部とそれぞれのヒンジ２２８を介して枢動可能に係合され、それによって、ドッキングされたモバイル計算デバイス１６の水平方向の傾きまたはピッチの調整を可能にする。
【００５５】
本体は、例えば、円形または多角形の横断面を有する場合、プレート状ではないものであり、そして、本体はベースに直接終わることができるので、フットは不要であってもよい。しかしながら、この場合、本体とベースとの係合は、依然として回転可能な移動を可能にする。
【００５６】
使用中の水平傾斜またはピッチ調整および使用中の縦方向回転調整が第３および第４の実施形態によって提供されるが、追加的または代わりに好ましくは、ヒンジの枢動軸に垂直した軸の回りに好適に３６０度回転されるヨー調整および/または枢動調節も組み入れられてもよい。このような調整は、第１及び第２の実施形態のために提供されてもよい。回転調整の場合、モバイル計算デバイス１６をドック１４に対して好適に３６０度にわたって回転させることを可能にし、回転可能な取り付け素子４５が、好ましくは、図１０に示されるようにドック１４の一部として備われる。この場合、回転可能な取り付け素子４５を独立した係合素子４４と組み合わせることが有利であり、それによって、一般的に電磁保持具である独立した係合素子４４をドック１４において回転することを可能にしながら、充電のために充電素子７０をドッキングされたモバイル計算デバイス１６とインタフェースすることも可能にする。
【００５７】
本明細書全体で言及されるモバイル計算デバイスは、好ましくは、タッチ又はプレスセンシティブディスプレイスクリーンを有するタブレット計算デバイスである。ロック機構の保持素子は、スクリーンから離間して、決して遮蔽しないようにモバイル計算デバイスのオリジナルのハウジングに位置することができる。
【００５８】
よって、スクリーンが遮蔽されず、モバイル計算デバイス、最も好ましくは、タブレットコンピュータがドッキングされることを可能にするモバイルコンピュータ支持装置を提供することができる。必要に応じて、モバイル計算デバイスは、台座に取り付けられるディスプレイとして用いられることができる。セキュリティケーブルなしに、モバイル計算デバイスは、確実かつ離脱可能に、スタンドにおいてドッキングポイントにロックされ、それによって、全体の視覚外観を提供する。しかしながら、離脱の期間、モバイル計算デバイスは、スタンドから離脱することができ、繋がることなく、許可された者によって自由に使用されることができる。
【図１】
2015535366.tif 000003
【図２】
2015535366.tif 000004
【図３】
2015535366.tif 000005
【図４】
2015535366.tif 000006
【図５】
2015535366.tif 000007
【図６】
2015535366.tif 000008
【図７】
2015535366.tif 000009
【図８】
2015535366.tif 000010
【図９】
2015535366.tif 000011
【図１０】
2015535366.tif 000012
【図１１】
2015535366.tif 000013
【国際調査報告】
2015535366.tif 000014
2015535366.tif 000015
2015535366.tif 000016